(57)【特許請求の範囲】
【請求項１】
円形領域部に複数のＬＥＤを配列したＬＥＤ光源部と、
前記円形領域部と同心円状の円形開口部を有し前記ＬＥＤ光源部を内方に配置する筒状の灯具枠と、
前記円形開口部に前記灯具枠の軸線直交方向でスライド自在に設けられ前記円形開口部の円弧に沿う前記ＬＥＤを遮光する縁部を有し、前記灯具枠と別体の遮光板と、を具備し、
前記灯具枠の円形開口部に環状のスライドガイドが同一中心で取り付けられ、
前記スライドガイドには該スライドガイドの直径を挟んで該直径と平行な一対のガイド片が設けられ、
前記一対のガイド片が前記遮光板の両側部をそれぞれスライド自在に保持する照明器具。
【請求項２】
請求項１に記載の照明器具において、
前記スライドガイドが前記円形開口部に対して同一中心で回転自在に取り付けられる照明器具。
【発明の詳細な説明】
【技術分野】
【０００１】
本発明は、複数のＬＥＤを円形領域部に配列する照明器具に関するものである。
【背景技術】
【０００２】
従来より、ＬＥＤを光源として用い、天井に埋設されて使用される照明器具が知られている（例えば特許文献１参照）。
【０００３】
図６に示すように、この種の照明器具１００は、天井１０１に設けられた取付孔１０２に挿入させることで、設置されるダウンライトである。この照明器具１００は、略円筒形状の器具本体１０３と、この器具本体１０３の下部に取り付けられる同じく略円筒形状の灯具枠１０４とを有する。灯具枠１０４は、下方に円形開口部１０５を有する。灯具枠１０４には取付バネ１０６が取り付けられ、取付バネ１０６は灯具枠１０４の鍔部１０７との間に天井１０１を挟んで、照明器具１００を天井１０１に固定する。器具本体１０３は、内部に光源としてＬＥＤ１０８を複数配列した実装基板１０９を収容する。器具本体１０３の上面には複数の放熱フィン１１０が設けられる。この放熱フィン１１０には略水平にアーム部１１１が結合されている。アーム部１１１にはＬＥＤ１０８に電力を供給する電源装置１１２が設けられている。電源装置１１２は、アーム部１１１を介して器具本体外周の外側に位置するように配置されている。
【先行技術文献】
【特許文献】
【０００４】
【特許文献１】特開２００８−１５９４５５号公報（図１）
【発明の概要】
【発明が解決しようとする課題】
【０００５】
ところで、照明器具１００は、壁１１３に近い距離（例えばＬ＝１０００ｍｍ程度）で設置される場合がある。図７（Ａ）に示すように、ＬＥＤ１０８は、器具本体１０３の円形領域部１１４に例えばＡ，Ｂ，Ｃ，Ｄ，Ｅ，Ｆ，Ｇ，Ｈが各２個（粒）ずつ、合計１６粒が配列されている。この場合、図例ではＡ〜Ｈの光が壁１１３に照らされると、その内のＡ（２粒）とＢ（２粒）の光が図７（Ｂ）に示す山形の頂上部を照らす。このため、頂上部付近では２＋２粒分の光しか当たらなく（弱く）不均一な光を発生させた。
【０００６】
本発明は上記状況に鑑みてなされたもので、その目的は、円形領域部に複数のＬＥＤを配列した照明器具を、壁際に設置したとき、壁面に照射される不均一な光をなくすことができる照明器具を提供することにある。
【課題を解決するための手段】
【０００７】
本発明の照明器具は、円形領域部に複数のＬＥＤを配列したＬＥＤ光源部と、前記円形領域部と同心円状の円形開口部を有し前記ＬＥＤ光源部を内方に配置する筒状の灯具枠と、前記円形開口部に前記灯具枠の軸線直交方向でスライド自在に設けられ前記円形開口部の円弧に沿う前記ＬＥＤを遮光する縁部を有し、前記灯具枠と別体の遮光板と、を具備し、前記灯具枠の円形開口部に環状のスライドガイドが同一中心で取り付けられ、前記スライドガイドには該スライドガイドの直径を挟んで該直径と平行な一対のガイド片が設けられ、前記一対のガイド片が前記遮光板の両側部をそれぞれスライド自在に保持するものである。
【００１０】
さらに、本発明の照明器具は、前記スライドガイドが前記円形開口部に対して同一中心で回転自在に取り付けられるものである。
【発明の効果】
【００１１】
本発明に係る照明器具によれば、円形領域部に複数のＬＥＤを配列した照明器具を、壁際に設置したときに発生していた、壁面に照射される不均一な光をなくすことができる。
【図面の簡単な説明】
【００１２】
【図１】本発明に係る実施形態の照明器具の器具本体と灯具枠とを切り欠いた側面図
【図２】図１に示した照明器具の下面図
【図３】図１に示した灯具枠の下面図
【図４】（Ａ）は図１に示したスライドガイドの側面図、（Ｂ）はその下面図
【図５】遮光板の下面図
【図６】壁近傍の天井に取り付けられた従来の照明器具の側面図
【図７】（Ａ）は図６に示した照明器具の下面図、（Ｂ）は図６に示した照明器具によって壁に照射される照射光の配光パターン図
【発明を実施するための形態】
【００１３】
以下、本発明の照明器具の実施形態について、図面を用いて説明する。
図１は本発明に係る実施形態の照明器具の器具本体と灯具枠とを切り欠いた側面図、図２は図１に示した照明器具の下面図である。
照明器具１０は、天井１１に設けられた取付孔１２に挿入されることにより、設置されるダウンライトである。この照明器具１０は、略円筒形状の器具本体１３と、この器具本体１３の下部に取り付けられる同じく略円筒形状の灯具枠１４とを有する。
【００１４】
器具本体１３は、図２に示す円形領域部１５に複数のＬＥＤ１６を配列したＬＥＤ光源部１７を内部に収容する。ＬＥＤ光源部１７は、ＬＥＤ１６を複数配列した実装基板１８を有する。ＬＥＤ１６は、器具本体１３の円形領域部１５に例えばＡ，Ｂ，Ｃ，Ｄ，Ｅ，Ｆ，Ｇ，Ｈが各２個（粒）ずつ、合計１６粒が配列されている。
【００１５】
器具本体１３の上面には複数の放熱フィン１９が設けられる。この放熱フィン１９には略水平にアーム部２０が結合されている。アーム部２０にはＬＥＤ１６に電力を供給する電源装置２１が設けられている。電源装置２１は、アーム部２０を介して器具本体外周の外側に位置するように配置されている。電源装置２１は、アーム部２０の端部に取り付けられた電源端子台２２を通じて、外部の商用電源に電気的に接続される。
【００１６】
灯具枠１４は、下方に円形開口部２３を有する。円形開口部２３の外周は鍔部２４となる。灯具枠１４は、器具本体１３の下部に取り付けられることで、円形開口部２３が円形領域部１５と同心円状に配置され、内方にＬＥＤ光源部１７を配置する。灯具枠１４の円筒側部には複数の取付バネ２５が円周方向等間隔で取り付けられ、これら取付バネ２５は灯具枠１４の鍔部２４との間に天井１１を挟んで、照明器具１０を天井１１に固定する。
【００１７】
図３は図１に示した灯具枠１４の下面図、図４（Ａ）は図１に示したスライドガイド２６の側面図、（Ｂ）はその下面図、図５は遮光板２７の下面図である。
図３に示す灯具枠１４の鍔部２４には、円周方向に等間隔（図例では９０度間隔）で雌ねじ２８が形成されている。鍔部２４には図４に示すスライドガイド２６が、図２に示す後述のビス２９によって取り付けられる。スライドガイド２６は、環状に形成され、灯具枠１４の円形開口部２３に同一中心で取り付けられる。スライドガイド２６には、このスライドガイド２６の直径Ｄ１を挟んで直径Ｄ１と平行な一対のガイド片３０が設けられている。ガイド片３０は、灯具枠１４と別体の図５に示す遮光板２７の両側部３１をそれぞれスライド自在に保持する。
【００１８】
ガイド片３０に両側部３１が保持された遮光板２７は、円形開口部２３に灯具枠１４の軸線直交方向（図２、図１の矢印Ｘ方向）でスライド自在となる。この遮光板２７は、スライド方向先端側に、円形開口部２３の円弧に沿うＬＥＤ１６を遮光する縁部３２を有する。遮光板２７は、スライド方向後端側に、図１に示すストッパ片３３が起立して形成され、このストッパ片３３がスライドガイド２６の外周に当たることで、スライドが止まる。
【００１９】
スライドガイド２６には起立ねじ２６ａが植設され、起立ねじ２６ａは遮光板２７の長孔２７ａに貫通される。長孔２７ａを貫通した起立ねじ２６ａには図２に示す蝶ねじ２７ｂ等が螺合される。蝶ねじ２７ｂは、遮光板２７を所望のスライド位置に固定する。
【００２０】
遮光板２７は、灯具枠１４と別体となることで、円形開口部２３における円周方向の任意な位置に配置可能となる。これにより、壁に対する灯具枠１４の取り付け向きの制約がなくなる。
【００２１】
ガイド片３０に両側部３１の保持された遮光板２７がスライドされると、スライドガイド２６の直径Ｄ１上を遮光板２７が移動し、移動した遮光板２７が同一中心の円形領域部１５に図３に示す直径Ｄ２方向で進入する。これにより、図２に示すように、直径Ｄ２によって二分される円弧１５ａに沿うＬＥＤ１６が遮光される。
【００２２】
遮光板２７の縁部３２は、複数の山形の凸部と複数のＶ形の凹部とを連ねた凹凸パターンで形成されている。凹凸パターンは、例えば図５に示すように、最深の第一凹部３４を対称に、左右に二つずつの第一凸部３５、第二凸部３６と、左右に一つずつの第二凹部３７とによって形成できる。第一凸部３５、第二凸部３６の頂角θは９０度で形成されている。このような凹凸パターンに形成されることで、ＬＥＤ光源部１７からの光が壁に照射された際、（弱く）不均一な光を発生させるＡ（２粒）とＢ（２粒）とのＬＥＤ１６のみを遮光できる。
【００２３】
なお、本実施形態では遮光板２７の縁部３２が上記凹凸パターンとなる場合を例に説明するが、遮光板２７の縁部３２は、この他、円弧状に形成され、Ａ（２粒）とＢ（２粒）とのＬＥＤ１６を遮光するものであってもよい。
【００２４】
上述したように、灯具枠１４の鍔部２４には、円周方向に９０度間隔で雌ねじ２８が形成されている。一方、スライドガイド２６には、図４に示す弧状ガイド溝３８が直径を挟んで対称に形成される。それぞれの弧状ガイド溝３８は、９０度の角度範囲で形成されている。図２に示すように、この弧状ガイド溝３８には上記のビス２９が挿通され、ビス２９は鍔部２４の雌ねじ２８に螺合する。これにより、スライドガイド２６は、円形開口部２３に対して同一中心で回転自在に取り付けられる。
【００２５】
照明器具１０では、スライドガイド２６が灯具枠１４に対して同一中心で４５度ずつ回転自在となる。また、スライドガイド２６は灯具枠１４に対して９０度間隔で固定が可能となる。従って、照明器具１０は、円形領域部１５に対して３６０度の任意方向からの遮光が可能となっている。
【００２６】
上記構成を有する照明器具１０の作用を説明する。
照明器具１０では、遮光板２７がスライドされ、遮光板２７のストッパ片３３がスライドガイド２６の外周に当たると、遮光板２７の縁部３２が円形領域部１５に配置される。円形領域部１５に配置された縁部３２は、円形開口部２３の壁側の円弧に沿う複数のＬＥＤ１６と重なる。本実施形態では、図２に示すように、Ａ（２粒）とＢ（２粒）とのＬＥＤ１６のみと重なり、これらのＬＥＤ１６からの出射光を遮る。
【００２７】
これにより、円弧に沿って凸状に配列された上記のＬＥＤ１６が遮光される。すなわち、特に、少量のＡ（２粒）とＢ（２粒）とのＬＥＤ１６による図７（Ｂ）に示した不均一な（弱い）光が照射されなくなる。
【００２８】
従って、本実施形態に係る照明器具１０によれば、円形領域部１５に複数のＬＥＤ１６を配列した照明器具１０を、壁際に設置したときに発生していた、壁面に照射される不均一な光をなくすことができる。
【符号の説明】
【００２９】
１０  照明器具
１４  灯具枠
１５  円形領域部
１６  ＬＥＤ
１７  ＬＥＤ光源部
２３  円形開口部
２６  スライドガイド
２７  遮光板
３０  ガイド片
３１  両側部
３２  縁部
【図１】
0005793680.tif 000002
【図２】
0005793680.tif 000003
【図３】
0005793680.tif 000004
【図４】
0005793680.tif 000005
【図５】
0005793680.tif 000006
【図６】
0005793680.tif 000007
【図７】
0005793680.tif 000008